(57)【要約】【課題】  ＳＯＳジッターの発生を抑制して揺らぎのない良好な画像を形成することができる光走査装置を提供することを課題とする。【解決手段】  光走査装置１０は、ポリゴンミラー２０で偏向された光ビームＬの描く走査平面に対して副走査方向に角度を持つ装置であって、ＳＯＳセンサ５４の光路手前側に、ＳＯＳセンサ５４に向けて光ビームＬを収束させるシリンダーレンズ５６を配置している。シリンダーレンズ５６は、シリンダーレンズ５６に入射する光ビームＬの走査線が母線に対して傾斜しかつ交差するように配置されている。ポリゴンミラー２０の偏向面２０Ｂの面倒れが生じていて、光ビームＬのシリンダーレンズ５６への入射位置が副走査方向Ｙにずれても、光ビームＬの収束位置はＳＯＳセンサ５４の表面で大きくずれることはない。これにより、ＳＯＳジッターを充分に抑えることができる。【選択図】        図１
2007086796.tif 000002
【特許請求の範囲】
【請求項１】
同期検出手段へ入射する光ビームが、光偏向手段で偏向された光ビームの描く走査平面に対して副走査方向に角度を持っている光走査装置において、
前記同期検出手段の光路手前側に、前記同期検出手段の受光面に向けて前記光ビームを収束させる収束レンズを、前記収束レンズに入射する光ビームの走査線が母線に対して傾斜しかつ交差するように配置したことを特徴とする光走査装置。
【請求項２】
前記同期検出手段と前記収束レンズとを保持し、筐体に固定される保持部材を備えていることを特徴とする請求項１に記載の光走査装置。
【請求項３】
前記保持部材は、略主走査方向に沿って位置調整可能であることを特徴とする請求項２に記載の光走査装置。
【発明の詳細な説明】
【技術分野】
【０００１】
本発明は、良好な画像を形成できる光走査装置に関する。
【背景技術】
【０００２】
レーザプリンタやデジタル式複写機等の電子写真記録装置では、光ビームを発する光走査装置が組み込まれている。この光走査装置は、旧式のタイプとしては、光走査装置の中で光ビームを一平面内で反射させている。一般に、このタイプの光走査装置（以下、平面型の光走査装置という）は、感光体ドラムの表面を光ビームで走査する直前に、同期検出用のセンサで光ビームを受光して光ビームの変調の開始時刻を決定している。この平面型の光走査装置では、反射ミラーのミラー面が、センサの受光面での副走査方向に直交している。このため、センサの受光面では、副走査方向にのみ位置ずれが生じ、主走査方向には位置ずれが生じなく、後述のＳＯＳジッターは発生しない。
【０００３】
一方、近年では、光走査装置の小型化を達成するために、光走査装置内で光ビームを三次元的に反射させる、いわゆる立体交差させるタイプの光走査装置（以下、立体交差型の光走査装置という）が多用されている。
【０００４】
立体交差型の光走査装置としては、実公平４−１４７３４号に、図２１（Ａ）及び（Ｂ）に示すような光走査装置１２０が開示されている。光走査装置１２０は、同期検出する際、結像系レンズ（ｆθレンズ）１２２の光路後方に設けられた反射ミラー１２４、光ファイバー１２６、更にはフォトダイオード１２８に、回転多面鏡（以下、ポリゴンミラーという）１３０で反射された光ビームＬを導いている。
【０００５】
詳しく説明すると、ポリゴンミラー１３０により光ビームＬが走査する平面Ｉ（以下、イメージ走査平面Ｉという）の下方（図２１（Ｂ）参照）に光ビームＬを引き回して、すなわち三次元的に光ビームＬを引き回して光ファイバー１２６の受光面１２６Ａに導いている。そして、フォトダイオード１２８で同期検出後、光ビームＬを変調させ、感光体ドラム１３２の表面を走査する。
【０００６】
ところで、平面型の光走査装置で印刷すると、ポリゴンミラーを回転させるモータの回転ムラに起因するジッターや、ポリゴンミラーの偏向面平面度に起因するジッターが生じることが知られている（図２２参照）。これはＥＯＳジッターと言われ、印字画像の走査終端側（Ｅｎｄ  Ｏｆ  Ｓｃａｎの略として、以下ＥＯＳという）での揺らぎの現象や、或いは、印字画像の走査開始端側（Ｓｔａｒｔ  Ｏｆ  Ｓｃａｎの略として、以下ＳＯＳという）からＥＯＳにかけて揺らぎが次第に大きくなる現象であり、これを抑える対策は、既に知られている。
【０００７】
しかし、同期の際に光ビームＬをいわゆる立体交差させている光走査装置１２０（図２１参照）の場合、上記のジッターのみならず、印字画像の走査開始端側を含む全画像揺らぎ（以下、ＳＯＳジッターという）が発生する（図２３参照）。以下、ＳＯＳジッターの発生原理について詳しく説明する。
【０００８】
ポリゴンミラー１３０（図２１（Ａ）参照）の回転軸が光ビームＬに対して傾いていると、偏向面は、光ビームＬに対していわゆる面倒れ状態になっている。従って、立体交差型の光走査装置１２０では、反射ミラー１２４によって反射されて受光面１２６Ａを走査する光ビームＬの走査平面Ｓ（図２１（Ｂ）参照）は、イメージ走査平面Ｉに対して傾斜している。このため、面倒れによる位置ずれが、光ファイバー１２６の受光面１２６Ａでの主走査方向Ｘにも生じる。従って、平面型の光走査装置と同じ偏向角で走査していても、図２３に示したように、印字画像のＳＯＳの位置が走査線毎に異なり、このため、ＳＯＳジッターが生じる。
【０００９】
また、図２４に示す光走査装置１４０のように、ポリゴンミラー１４２で反射された光ビームＬが、平面ミラー１４４により反射されてイメージ走査平面Ｉに対して副走査方向に傾斜する走査平面Ｍで走査して窓１４６から感光体ドラム等に向けて出射される場合であっても、光ファイバー１４８の受光面１４８Ａで光ビームＬの主走査方向Ｘに位置ずれが生じ、ＳＯＳジッターが発生する。
【００１０】
このＳＯＳジッターについては、今まであまり注目されておらず、今後、ＳＯＳジッターを抑える対策が重要になると思われる。
【発明の開示】
【発明が解決しようとする課題】
【００１１】
本発明は、上記事実を考慮して、ＳＯＳジッターの発生を抑制して揺らぎのない良好な画像を形成することができる光走査装置を提供することを課題とする。
【課題を解決するための手段】
【００１２】
請求項１に記載の発明では、同期検出手段へ入射する光ビームが、光偏向手段で偏向された光ビームの描く走査平面に対して副走査方向に角度を持っている光走査装置において、前記同期検出手段の光路手前側に、前記同期検出手段の受光面に向けて前記光ビームを収束させる収束レンズを、前記収束レンズに入射する光ビームの走査線が母線に対して傾斜しかつ交差するように配置したことを特徴とする。
【００１３】
光走査装置に内蔵されている光偏向手段のミラー面が面倒れしていない場合、収束レンズによって収束される光ビームは、同期検出手段の中央領域に入射する。しかし、ミラー面が面倒れしている場合、収束レンズによって収束される光ビームは同期検出手段の中央領域からずれた位置に入射するので、ＳＯＳジッターが発生する。
【００１４】
そこで、光偏向手段のミラー面の面倒れを補正すべく、光ビームの収束レンズへの入射位置や入射角度を調整することにより、ＳＯＳジッターを格段に抑えられることを見い出し、母線から外したものである。
【００１５】
請求項１に記載の発明により、ＳＯＳジッターを充分に抑えることができる。
【００１６】
請求項２に記載の発明では、前記同期検出手段と前記収束レンズとを保持し、筐体に固定される保持部材を備えていることを特徴とする。
【００１７】
同期検出手段と収束レンズとは、筐体に固定される同一の保持部材で保持されているので、保持部材の形状を変更することにより、収束レンズへ入射する光ビームの位置を調整してＳＯＳジッターを小さくすることができる。
【００１８】
請求項３に記載の発明では、前記保持部材は、略主走査方向に沿って位置調整可能であることを特徴とする。
【００１９】
これにより、保持部材を移動させるという簡単な位置調整により、ＳＯＳジッターを充分に抑えつつサイドレジストレーションを調整することが可能である。
【発明の効果】
【００２０】
本発明は上記構成としたので、以下の効果を奏することができる。
【００２１】
請求項１に記載の発明によれば、ＳＯＳジッターを充分に抑えることができる。
【００２２】
請求項２に記載の発明によれば、同期検出手段と収束レンズとは、筐体に固定される同一の保持部材で保持されているので、保持部材の形状を変更することにより、収束レンズへ入射する光ビームの位置を調整しながら変更でき、ＳＯＳジッターを小さくすることができる。
【００２３】
請求項３に記載の発明によれば、保持部材を移動させるという簡単な位置調整により、ＳＯＳジッターを充分に抑えつつサイドレジストレーションを調整することが可能になる。
【発明を実施するための最良の形態】
【００２４】
第１形態に係る光走査装置を説明する。図１、図２に示すように、第１形態に係る光走査装置１０は、光ビームＬを発する半導体レーザ１２と、光ビームＬの光路上に順次配置されたコリメータレンズ１３、及び、スリット１４Ａが形成されたビーム整形器１４を備えている。
【００２５】
コリメータレンズ１３は、半導体レーザ１２との距離が、コリメータレンズ１３の焦点距離に比べて１．６４ｍｍ短い位置に配置されており、半導体レーザ１２から発せられた略ガウシアン分布の光は、コリメータレンズ１３を通過することにより、略平行な光ビームではなく、緩い発散光の光ビームＬにされる。そして、スリット１４Ａを通過することにより光軸付近の光のみに整形される。
【００２６】
また、光走査装置１０は、スリット１４Ａを通過した光ビームＬの光路上に、シリンダーレンズ１７と、反射ミラーである平面ミラー１５、１６と、ｆθレンズ２２、２４と、ポリゴンミラー２０とを備えている。
【００２７】
光ビームＬは、シリンダーレンズ１７を通過し、平面ミラー１５、１６で反射され、ｆθレンズ２２、２４を通過し、ポリゴンミラー２０により偏向される。
【００２８】
シリンダーレンズ１７は、ポリゴンミラー２０の偏向面で副走査方向Ｙに収束されるように焦点距離が決められている。ポリゴンミラー２０は、側面が同一面幅の鏡面に形成され、駆動装置（図示せず）により中心軸２０Ａのまわりに等角速度でＲ方向に回転するミラーであり、光ビームＬは、回転しているポリゴンミラー２０の鏡面で反射されることにより偏向される。また、ｆθレンズ２２、２４は、主走査方向Ｘにのみパワーを有する２枚組のレンズで、互いの中心軸が一致するように配置されている。
【００２９】
また、光走査装置１０は、平面ミラー１６の近くに配置された平面ミラー３０と、平面ミラー３０からの反射光を受けるシリンダーミラー３２とを備えている。平面ミラー３０及びシリンダーミラー３２は、感光体ドラム４０の長手方向に沿って長いミラーである。
【００３０】
ポリゴンミラー２０により反射されてｆθレンズ２４、２２を通過した光ビームＬは、平面ミラー３０、シリンダーミラー３２で反射され（図２参照）、走査線として透過窓３６から感光体ドラム４０に向けて出射され（図１〜図３参照）、感光体ドラム４０の表面を等速度で走査する。
【００３１】
更に、光走査装置１０は、平面ミラー３０の端部３０Ｅで反射された光ビームＬを反射するＳＯＳミラー５０と、ＳＯＳミラー５０からの光ビームを受光し、同期検出信号を発するＳＯＳセンサ５４と、ＳＯＳミラー５０とＳＯＳセンサ５４との光路中に配置され、光ビームＬをＳＯＳセンサ５４に収束するＳＯＳレンズ５６とを備えている。平面ミラー３０の端部３０Ｅで反射された光ビームＬは、ＳＯＳミラー５０で反射され、ＳＯＳレンズ５６で副走査方向Ｙ（図１参照）に収束される。ＳＯＳセンサ５４は、半導体レーザ１２の出力の変調を行う制御部（図示せず）に接続されて同期検出器としての役割を果たしており、ＳＯＳセンサ５４に光ビームＬが入射すると（図４参照）、その旨を伝える信号が制御部に送信され、制御部が半導体レーザ１２の出力の変調を行う。変調された光ビームＬは、シリンダーミラー３２で反射されて透過窓３６から出射して感光体ドラム４０の表面に到達し、画像の記録が開始される。以下、光ビームＬのＳＯＳレンズ５６への入射角度等の数値を具体的に示して説明する。
【００３２】
ポリゴンミラー２０の側面（以下、偏向面という）の面数を１２とし、また、偏向面２０Ｂ（図５（Ａ）参照）が光ビームに直交するときをポリゴンミラー２０の回転角度θ＝０°と定義すると、ポリゴンミラー２０の回転角度がθ＝−１３．０°のときに光ビームＬがＳＯＳセンサ５４に入射する。ポリゴンミラー２０の偏向面２０Ｂに入射する光ビームＬと、偏向面２０Ｂで反射された光ビームＬとを分離するために、偏向面２０Ｂへ入射する光ビームＬは、図５（Ｂ）に示すように、全ての偏向面２０Ｂと垂直な平面Ｈ（以下、取付面Ｈという）に対して副走査方向βに１．２°傾いている。また、平面ミラー３０で反射される光ビームＬは、副走査方向に１３．０°傾いている。なお、シリンダーミラー３２での走査線の中央（Ｃｅｎｔｅｒ  Ｏｆ  Ｓｃａｎの略としてＣＯＳと言われる）での折り返し角度は１３．２°である。
【００３３】
ＳＯＳミラー５０（図１参照）のミラー面は、通常、平面である。ＳＯＳミラー５０は、平面ミラー３０から光路長１２１．８ｍｍの位置に、光ビームＬの主走査方向Ｘの入射角度（以下、主走査入射角度という）３１．１°、光ビームＬの副走査方向Ｙの入射角度（以下、副走査入射角度という）２．９°となる向きで配置されている。
【００３４】
ＳＯＳレンズ５６はシリンダーレンズであって、入射面側では副走査方向Ｙにのみ正のパワー（Ｒ＝１４．５）を有し、出射面側が平面、中心厚が５．５ｍｍであり、ＳＯＳミラー５０から光路長１２２．１ｍｍの位置に、主走査入射角度α＝７．０°（図６（Ａ）参照）、副走査入射角度０°（図６（Ｂ）参照）となる向きに配置されている。ここで、ＳＯＳレンズ５６への主走査入射角度及び副走査入射角度とは、それぞれ、ＳＯＳレンズ５６の母線５６Ｌを通りかつＳＯＳレンズ５６の光ビーム入射側面５６Ｆに直交する平面（図１２（Ｃ）の平面Ｗを参照）と光ビームＬとがなす主走査方向の角度α（図６（Ａ）参照）及び副走査方向の角度β（図１２（Ｂ）参照）のことをいう。また、ＳＯＳレンズ５６の材質は、例えばアクリル等の樹脂である。光ビームＬは、ＳＯＳレンズ５６の母線５６Ｌから上方の高さ位置で、副走査方向の距離Ｄが３ｍｍとなる高さ位置で入射している（以下、母線５６Ｌから離れた位置で入射することを、ＯＦＦＳＥＴさせているという。また、光ビームの入射位置から母線５６Ｌまでの副走査方向の距離ＤをＯＦＦＳＥＴ距離という）。
【００３５】
一方、ＳＯＳレンズ５６の傾斜角度γ（図６（Ｃ）参照）は１８．３°である。ここで、傾斜角度とは、取付面Ｈと母線５６Ｌとのなす角度のことである。この傾斜角度γにより、図６（Ｄ）に示すように、母線５６Ｌは、ＳＯＳレンズ５６の入射面側での光ビームＬの主走査方向と平行にされている。すなわち、ＳＯＳレンズ５６に入射する光ビームＬの入射走査平面Ｓは、母線５６Ｌを通りかつＳＯＳレンズ５６の光ビーム入射側面５６Ｆに直交する平面Ｗに対し、平行である。
【００３６】
ＳＯＳセンサ５４は、ＳＯＳレンズ５６から光路長２７．９ｍｍの位置に、主走査入射角度１０．６°、傾斜角度１８．３°（ＳＯＳレンズ５６と同じ傾斜角度）となる向きで配置されている。図７に示すように、ＳＯＳセンサ５４は、感度の高い２分割型、すなわち検出領域が境界領域５４Ｎを境にして２つに分かれているセンサであり、光ビームＬがＳＯＳセンサ５４の表面を主走査方向Ｘに走査して、光ビームＬの中心が境界領域５４Ｎに到達したときに、制御部（図示せず）がこの到達を判断する。
【００３７】
本発明者は、偏向面の総合面倒れを１２０”（約０．０３３３°）、解像度を１２００ｄｐｉと仮定して、ＳＯＳジッターの定量値（以下、ＳＯＳジッター性能という）を計算した。この結果、光ビームＬのＳＯＳレンズ５６への入射位置の副走査方向Ｙのずれδ（図６（Ｂ）参照）が母線５６Ｌから±２ｍｍの範囲内（図８の範囲ｈ内）であるとき、光ビームＬがＳＯＳセンサ５４の境界領域５４Ｎから大きく外れることはなく、図８に示すように、ＳＯＳジッター性能が０．３９ドット以内に抑えられるという結果になった。従って、解像度が上昇するにつれて微小な揺らぎ、すなわち小さなＳＯＳジッターを肉眼で識別することが可能になる現状では、１２００ｄｐｉ程度の高解像で画像形成する場合に光走査装置１０は極めて有効であるという結果になった。
【００３８】
なお、総合面倒れの最大許容値は１２０”であり、解像度１２００ｄｐｉのときには１ドットは約２１μｍに相当する。また、ずれδが母線５６Ｌから±２ｍｍの範囲内であることに注目したのは、レンズ等が熱により膨張することや、平面ミラーを取付ける際に生じる取付け角度の誤差等により、この程度の範囲内で入射位置が副走査方向Ｙに変動するからである。
【００３９】
また本発明者は、比較検討するために、図９（Ａ）及び（Ｂ）に示すように、ＳＯＳレンズ５６及びＳＯＳセンサ５４への主走査入射角度及び副走査入射角度を上記と同じにし、光ビームＬの入射位置を母線５６Ｌと同じ高さにした場合（すなわちＯＦＦＳＥＴ距離Ｄを０ｍｍとした場合）に生じるＳＯＳジッター性能を計算した。この結果、図１０に示すように、光ビームＬのＳＯＳレンズ５６への副走査方向のずれδがないとき（δ＝０ｍｍのとき）でＳＯＳジッター性能は０．５ドット以上あり、しかも、光ビームＬの入射位置が負側、すなわち母線Ｌよりも下方にずれると、ＳＯＳジッター性能は更に悪いという結果になった。
【００４０】
次に、第２形態に係る光走査装置を説明する。図１１、図１２に示すように、第２形態に係る光走査装置６０では、第１形態に係る光走査装置１０の副走査入射角度０°に比べ、ＳＯＳレンズ５６が光ビームＬに対して副走査入射角度β＝７．４°（図１２（Ｂ）参照）となる向きに配置されている。すなわち、図１２（Ｃ）に示すように、ＳＯＳレンズ５６に入射する光ビームＬの入射走査平面Ｓは、母線５６Ｌを通りかつ光ビーム入射側面５６Ｆに直交する平面Ｗに対し、傾いている。また、ＳＯＳレンズ５６の向きに合わせてＳＯＳセンサ５４の向きも変更されており、ＳＯＳセンサ５４は、主走査入射角度１０．６°、副走査入射角度１０°（何れも図示せず）となるように配置されている。これ以外の構成は光走査装置１０と同じである。
【００４１】
本発明者は、偏向面の総合面倒れを１２０”（約０．０３３３°）、解像度を１２００ｄｐｉと仮定して、ＳＯＳジッター性能を計算した。この結果、図１３に示すように、光ビームＬのＳＯＳレンズ５６への副走査方向の入射位置のずれδが母線５６Ｌから２ｍｍ以内（図１３の範囲ｈ内）であるとき、ＳＯＳジッター性能は、０．４０ドット以内に抑えられるという結果になった。
【００４２】
第２形態により、ＳＯＳジッターを充分に抑えることができると共に、ポリゴンミラー２０により偏向された光ビームＬの描く走査平面とシリンダーレンズ５６に入射する光ビームＬとを容易に分離することができ、光走査装置を小型化することができる。
【００４３】
なお、本発明者は、比較検討するために、図１４（Ａ）及び（Ｂ）に示すように、ＳＯＳレンズ５６及びＳＯＳセンサ５４への主走査入射角度及び副走査入射角度を上記と同じにし、光ビームＬの入射高さ位置を母線５６Ｌと同じ高さにした場合（すなわちＯＦＦＳＥＴ距離Ｄを０ｍｍとした場合）に生じるＳＯＳジッター性能を計算した。この結果、図１５に示すように、光ビームＬのＳＯＳレンズ５６への副走査方向への位置ずれがないとき（δ＝０ｍｍのとき）で０．５ドット以上あり、入射位置が負側、すなわち母線Ｌよりも下方にずれると、ＳＯＳジッター性能は更に悪い結果になった。
【００４４】
以下、第３形態に係る光走査装置を説明する。第３形態に係る光走査装置は、光ビームの走査線が母線５６Ｌの中央Ｃを通過し（図１６（Ｃ）及び（Ｄ）参照）、また、ＳＯＳレンズ５６の傾斜角度γが１７．０°（図１６（Ｃ）参照）である。すなわち、図１６（Ｄ）に示すように、ＳＯＳレンズ５６に入射する光ビームＬの入射走査平面Ｓは、母線５６Ｌを通りかつ光ビーム入射側面５６Ｆに直交する平面Ｗに対し、交差している。また、ＳＯＳレンズ５６の傾斜角度に合わせてＳＯＳセンサ５４の傾斜角度が変更されている。これ以外の構成は第２形態に係る光走査装置６０と同じである。なお、図１６（Ｃ）に示すように、光ビームＬの入射走査平面Ｓと取付面Ｈとのなす角度ηは、第２形態と同じく１８．３°である。
【００４５】
本発明者は、偏向面の総合面倒れを１２０”（約０．０３３３°）、解像度を１２００ｄｐｉと仮定して、ＳＯＳジッター性能を計算した。この結果、図１７（Ｂ）に示すように、光ビームＬのＳＯＳレンズ５６への入射位置の副走査方向のずれδが母線５６Ｌから±２ｍｍ以内（図１７（Ｂ）の範囲ｈ内）であるとき、ＳＯＳジッター性能は、０．５ドット以内であった。
【００４６】
従って、傾斜角度γ＝１７．０では、光ビームＬの走査面Ｓ（図１６（Ｃ）参照）が母線５６Ｌを横切る場合、ＳＯＳジッター性能は良好であることが判った。
【００４７】
なお、本発明者は、傾斜角度をパラメータとして変化させて１６．０°、１８．３°、２０．０°、及び、３０．０°にし、ＳＯＳセンサ５４の傾斜角度も合わせて変化させたときのＳＯＳジッター性能を計算した（計算結果は、それぞれ、図１７（Ａ）、図１７（Ｃ）、図１７（Ｄ）、及び、図１７（Ｅ）参照）。この結果、図１７（Ｂ）に示すように傾斜角度１７．０°の場合にＳＯＳジッター性能が最も良いという結果になった。
【００４８】
以下、第４形態に係る光走査装置を説明する。図１８に示すように、第４形態に係る光走査装置８０は、ＳＯＳレンズ５６を保持するＳＯＳレンズホルダ８４と、ＳＯＳセンサ５４を保持するＳＯＳセンサホルダ８６と、両ホルダをそれぞれネジ８７、８８（図１９参照）で止めて保持するコの字状の保持部材８２とを備えている。保持部材８２は、例えば、板金を加工したものや樹脂成形したものである。保持部材８２は、光走査装置８０を構成する筐体（図示せず）に固定されており、ＳＯＳレンズホルダ８４及びＳＯＳセンサホルダ８６は筐体の底面に対して垂直となっている。
【００４９】
このように、ＳＯＳレンズホルダ８４及びＳＯＳセンサホルダ８６が取付けられる簡素な形状の保持部材８２の寸法を変更することにより、ＳＯＳレンズ５６に入射する光ビームの入射位置を変えてＳＯＳジッター性能を最適化することができる。
【００５０】
図１９に示すように、保持部材８２の底板には長孔９０が形成されており、ネジ９２で筐体の底面に固定されている。従って、ネジ９２を緩め、長孔９０に沿って保持部材８２をＶ方向に移動させることにより、傾斜角度を一定（例えば１８．３°）に維持して保持部材８２の位置を調整することが可能になる。
【００５１】
これにより、ＳＯＳジッター性能を充分に抑えつつ、サイドレジストレーションを調整することができる。
【００５２】
ここで、本発明者は、サイドレジストレーションをパラメータとして変化させ、記録用紙の主走査方向への位置ずれがない基準位置から−２ｍｍ、−１ｍｍ、０ｍｍ、＋１ｍｍ、及び、＋２ｍｍだけ移動させた場合でのＳＯＳジッター性能をそれぞれ計算した。計算の結果、図２０（Ａ）〜図２０（Ｅ）に示すように、何れの場合でも、入射位置の副走査方向のずれδが±２ｍｍ以内（図２０の範囲ｈ内）ではＳＯＳジッター性能は０．５ドット以内であった。
【００５３】
なお、部品公差等によりＳＯＳレンズ５６の傾斜角度が１°ずれた場合、光ビームＬの入射位置の副走査方向のずれδを±２ｍｍの範囲内にしてＳＯＳジッター性能を０．５ドット以内にすることはできないが、ＳＯＳセンサ５４の傾斜角度が１°ずれた場合、上記のずれδを±２ｍｍの範囲内にしてＳＯＳジッター性能を０．５ドット以内にすることは可能である。すなわち、ＳＯＳレンズ５６とＳＯＳセンサ５４とを保持部材８２に固定して位置関係を一定に保ちながら一体的に移動させることにより、傾斜角度の許容範囲が大きくなる。
【図面の簡単な説明】
【００５４】
【図１】第１形態に係る光走査装置の構成を示す斜視図である。
【図２】第１形態に係る光走査装置の構成を示す側面図である。
【図３】第１形態に係る光走査装置が画像形成装置に組み込まれた状態を示す側面断面図である。
【図４】図１で矢視４−４から見た背面図である。
【図５】図５（Ａ）及び（Ｂ）は、それぞれ、図１で矢視５Ａ−５Ａから見たポリゴンミラーの平面図、及び、矢視５Ｂ−５Ｂから見たポリゴンミラーの側面図である。
【図６】図６（Ａ）から（Ｄ）は、それぞれ、図１で矢視６Ａ−６Ａ（副走査方向）、矢視６Ｂ−６Ｂ（主走査方向）、矢視６Ｃ−６Ｃ（光ビームの入射方向）、及び、矢視６Ｄ−６Ｄ（斜視方向）から見た図である。
【図７】図１で矢視７−７から見たＳＯＳセンサの正面図である。
【図８】第１形態に係る光走査装置で走査した場合に生じるＳＯＳジッター性能を示す解析値である。
【図９】図９（Ａ）及び（Ｂ）は、それぞれ、第１形態で別の解析計算する際のＳＯＳレンズの光ビームに対する傾きを示す平面図及び側面図である。
【図１０】第１形態に係る光走査装置で、ＯＦＦＳＥＴ距離Ｄを０ｍｍにして走査した場合に生じるＳＯＳジッター性能を示す解析値である。
【図１１】第２形態に係る光走査装置の構成を示す斜視図である。
【図１２】図１２（Ａ）から（Ｃ）は、それぞれ、図１１で矢視１２Ａ−１２Ａ（副走査方向）、矢視１２Ｂ−１２Ｂ（主走査方向）、及び、矢視１２Ｃ−１２Ｃ（斜視方向）から見た図である。
【図１３】第２形態に係る光走査装置で走査した場合に生じるＳＯＳジッター性能を示す解析値である。
【図１４】図１４（Ａ）及び（Ｂ）は、それぞれ、第２形態で別の解析計算する際のＳＯＳレンズの光ビームに対する傾きを示す平面図及び側面図である。
【図１５】第２形態に係る光走査装置で、ＯＦＦＳＥＴ距離Ｄを０ｍｍにして走査した場合に生じるＳＯＳジッターを示す解析値である。
【図１６】図１６（Ａ）から（Ｄ）は、ＳＯＳレンズの光ビームに対する傾きを示す図であって、それぞれ、副走査方向、主走査方向、光ビームの入射方向、及び、斜視方向から見た図である。
【図１７】第３形態に係る光走査装置で走査した場合に生じるＳＯＳジッター性能を示す解析値である。
【図１８】第４形態に係る光走査装置の構成を示す斜視図である。
【図１９】第４形態に係る光走査装置の保持部材の斜視図である。
【図２０】第４形態に係る光走査装置で走査した場合に生じるＳＯＳジッター性能を示す解析値である。
【図２１】図２１（Ａ）及び（Ｂ）は、それぞれ、従来の光走査装置の構成を示す平面断面図、及び、図２１（Ａ）で矢視２１Ｂ−２１Ｂから見た側面断面図である。
【図２２】従来の光走査装置でＥＯＳ側にジッターが生じることを示す、記録用紙の部分平面図である。
【図２３】従来の光走査装置でＳＯＳ側にジッターが生じることを示す、記録用紙の部分平面図である。
【図２４】従来の光走査装置の構成を示す斜視図である。
【符号の説明】
【００５５】
１０  光走査装置
２０  ポリゴンミラー（光偏向手段）
５４  ＳＯＳセンサ（同期検出手段、受光面）
５６  ＳＯＳレンズ（収束レンズ）
５６Ｌ  母線
６０  光走査装置
８０  光走査装置
８２  保持部材
１２０  光走査装置
１２８  フォトダイオード（同期検出手段）
１２６  受光面
１３０  ポリゴンミラー（光偏向手段）
１４０  光走査装置
１４２  ポリゴンミラー（光偏向手段）
【図１】
2007086796.tif 000003
【図２】
2007086796.tif 000004
【図３】
2007086796.tif 000005
【図４】
2007086796.tif 000006
【図５】
2007086796.tif 000007
【図６】
2007086796.tif 000008
【図７】
2007086796.tif 000009
【図８】
2007086796.tif 000010
【図９】
2007086796.tif 000011
【図１０】
2007086796.tif 000012
【図１１】
2007086796.tif 000013
【図１２】
2007086796.tif 000014
【図１３】
2007086796.tif 000015
【図１４】
2007086796.tif 000016
【図１５】
2007086796.tif 000017
【図１６】
2007086796.tif 000018
【図１７】
2007086796.tif 000019
【図１８】
2007086796.tif 000020
【図１９】
2007086796.tif 000021
【図２０】
2007086796.tif 000022
【図２１】
2007086796.tif 000023
【図２２】
2007086796.tif 000024
【図２３】
2007086796.tif 000025
【図２４】
2007086796.tif 000026